(57)【要約】      （修正有）【課題】頭の左側にある髪の毛と右側にある髪の毛を頭の中央部境として左右対称にカットすることで、髪の毛を見栄え良くカットできる鋏を提供する。【解決手段】鋏半体１と鋏半体２とが回動支点において軸支されてなる鋏において、前記鋏半体１，２は、刃部１ａ，２ａと、柄部１ｂ，２ｂと、指環部１ｃ，２ｃとを有するものであり、前記刃部１ａ，２ａの回動開閉面に対して交差する方向に前記柄部１ｂ，２ｂを曲げるよう構成する。【選択図】図１
2006346328.tif 000002
【特許請求の範囲】
【請求項１】
鋏半体と鋏半体とが回動支点において軸支されてなる鋏において、
前記鋏半体は、刃部と、柄部と、指環部とを有するものであり、
前記刃部の回動開閉面に対して交差する方向に前記柄部が曲げられてなる
ことを特徴とする鋏。
【請求項２】
前記鋏の表側を正面にして見た場合、前記指環部が手前側に位置するよう前記柄部が曲げられてなることを特徴とする請求項１の鋏。
【請求項３】
前記刃部によって構成される面と前記指環部によって構成される面とがほぼ平行であるよう前記柄部が曲げられてなることを特徴とする請求項１又は請求項２の鋏。
【請求項４】
前記刃部によって構成される面と前記指環部によって構成される面との間の距離が１０〜３０ｍｍであるよう前記柄部が曲げられてなることを特徴とする請求項１〜請求項３いずれかの鋏。
【請求項５】
前記柄部の曲位置は前記軸支位置と前記指環部との間であることを特徴とする請求項１〜請求項４いずれかの鋏。
【請求項６】
請求項１〜請求項５いずれかの第１の鋏と、
刃部、柄部、及び指環部を備えた鋏半体と、刃部、柄部、及び指環部を備えた鋏半体とが回動支点において軸支されてなる第２の鋏
とを具備してなり、
前記第１の鋏の指環部と前記第２の鋏の指環部とが緩やかに繋がれてなる
ことを特徴とする鋏。
【請求項７】
前記第１の鋏と前記第２の鋏とは、前記第１の鋏の表側と前記第２の鋏の表側とが同一の側に在るよう配されてなることを特徴とする請求項６の鋏。
【請求項８】
前記第１の鋏と前記第２の鋏とは、前記第１の鋏の指環部と前記第２の鋏の指環部とに指を差し込んで手にした場合、前記第１の鋏の指環部が指先側に位置できるよう配されてなることを特徴とする請求項６又は請求項７の鋏。
【請求項９】
前記第２の鋏の刃部における刃の方向が前記第１の鋏の刃部における刃の方向と反対方向であるように構成されてなることを特徴とする請求項６〜請求項８いずれかの鋏。
【請求項１０】
前記第１の鋏の一方の鋏半体の指環部と前記第２の鋏の一方の鋏半体の指環部とが緩やかに繋がれてなると共に、前記第１の鋏の他方の鋏半体の指環部と前記第２の鋏の他方の鋏半体の指環部とが緩やかに繋がれてなることを特徴とする請求項６〜請求項９いずれかの鋏。
【請求項１１】
前記第１の鋏と前記第２の鋏とは、平面視における形状がほぼ同じに構成されてなることを特徴とする請求項６〜請求項１０いずれかの鋏。
【発明の詳細な説明】
【技術分野】
【０００１】
本発明は、例えば髪の毛をカットする為の鋏に関する。
【背景技術】
【０００２】
一般的に、髪の毛をカットする為の鋏（美容用鋏または理容用鋏）は、図９に示す構造のものである。
この鋏Ｃは、鋏半体１１と鋏半体１２とが螺子１３により回動可能に結合されたものである。前記鋏半体１１は、刃部１１ａ、柄部１１ｂ、及び指環部１１ｃを備えている。尚、刃部１１ａ、柄部１１ｂ、及び指環部１１ｃは、ほぼ、一つの平面上に在るように構成されている。前記鋏半体１２は、刃部１２ａ、柄部１２ｂ、及び指環部１２ｃを備えている。尚、刃部１２ａ、柄部１２ｂ、及び指環部１２ｃは、ほぼ、一つの平面上に在るように構成されている。
尚、鋏半体１１と鋏半体１２とは、螺子１３の挿入孔が異なる点を除けば、同一形状である。すなわち、組立状態における鋏Ｃにおいて、鋏半体１１と鋏半体１２とは対称である。
又、この鋏Ｃは、右利き用の鋏である。なぜならば、図９からも判る通り、刃部１１ａ，１２ａの先端側を上側に向けた場合、手前側に在る鋏半体１１の刃部１１ａの刃が右側に在るからである。
【特許文献１】特開２００４−１１３５３９
【発明の開示】
【発明が解決しようとする課題】
【０００３】
さて、上記のような鋏Ｃで、髪の毛をカットしようとした場合、次のような問題が有る。
【０００４】
すなわち、右利きのカット技術者が、顧客の髪の毛をカットしようとした場合、頭の左側に在る髪の毛を、頭の中央部から左側に向かって（時計方向に）カットして行く。そして、頭の右側に在る髪の毛を、頭の右側から中央部に向かって（時計方向に）カットして行く。これは、頭の右側に在る髪の毛を、頭の中央部から右側に向かって（反時計方向に）カットして行こうとすると、手の向きを逆にしなければならないからである。そして、手の向きを逆にしてカットしようとすると、スムーズにカット出来ない。かつ、無理な姿勢でカットすることになり、手首などに大きな負担が掛かる。
【０００５】
さて、上記した通り、通常、頭の左側に在る髪の毛も、頭の右側に在る髪の毛も、右から左に向かってカットして行く。
ところで、鋏Ｃで髪の毛をカットする場合、髪の毛は、毛の長さ方向に対して直交方向にカットされる訳では無い。多少傾いたものとなる。これは、鋏Ｃの刃部１１ａ，１２ａで毛を切ろうとした場合、毛は刃部１１ａ，１２ａの先端側に流れる（逃げる）ようになるからである。従って、髪の毛を時計方向に沿ってカットして行った場合、頭の左側に位置する髪の毛も頭の右側に位置する髪の毛も同一の傾斜角度でカットされていることになる。この為、カット後の髪の毛は、頭の中央部を境界とした場合、左右非対称になっている。これでは見栄えが良くない。
【０００６】
よって、本発明が解決しようとする課題は、髪の毛を見栄え良くカットできる鋏を提供することである。
【課題を解決するための手段】
【０００７】
前記の課題は、鋏半体と鋏半体とが回動支点において軸支されてなる鋏において、
前記鋏半体は、刃部と、柄部と、指環部とを有するものであり、
前記刃部の回動開閉面に対して交差する方向に前記柄部が曲げられてなる
ことを特徴とする鋏によって解決される。
【０００８】
上記の鋏において、前記刃部によって構成される面（前記刃部の回動開閉面）と前記指環部によって構成される面とがほぼ平行であるように前記柄部が曲げられていることが好ましい。このように構成させた方が、鋏の向きを制御し易いからである。この結果、カット作業に無理な姿勢が求められなくなる。
【０００９】
すなわち、鋏半体と鋏半体とが回動支点において軸支されてなる鋏において、
前記鋏半体は、刃部と、柄部と、指環部とを有するものであり、
前記刃部によって構成される面（前記刃部の回動開閉面）と前記指環部によって構成される面とがほぼ平行で、かつ、前記刃部によって構成される面（前記刃部の回動開閉面）に対して交差する方向に前記柄部が曲げられてなる
ことを特徴とする鋏が好ましい。
【００１０】
尚、ここで言う「平行」は完全な平行に限られるものでは無い。
【００１１】
又、１箇所のみでは無く、偶数個の数だけ曲箇所を設けることによって、前記刃部の回動開閉面と前記指環部によって構成される面とが平行であるように構成できる。
【００１２】
又、上記の鋏において、前記鋏の表側を正面にして見た場合、前記指環部が手前側に位置するよう前記柄部が曲げられていることが好ましい。
【００１３】
又、上記の鋏において、前記柄部の曲位置は前記軸支位置と前記指環部との間に在ることが好ましい。このように構成させた方が、刃部の動作性に優れているからである。
【００１４】
又、上記の鋏（第１の鋏）と、
刃部、柄部、及び指環部を備えた鋏半体と、刃部、柄部、及び指環部を備えた鋏半体とが回動支点において軸支されてなる第２の鋏
とを具備してなり、
前記第１の鋏の指環部と前記第２の鋏の指環部とが緩やかに繋がれてなる
ことを特徴とする鋏（複合鋏）によって解決される。
【００１５】
上記の複合鋏において、前記第１の鋏と前記第２の鋏とは、前記第１の鋏の表側と前記第２の鋏の表側とが同一の側に在るよう配されていることが好ましい。
【００１６】
又、上記の複合鋏において、前記第１の鋏と前記第２の鋏とは、前記第１の鋏の指環部と前記第２の鋏の指環部とに指を差し込んで手にした場合、前記第１の鋏の指環部が指先側に位置できるよう配されていることが好ましい。その理由は、第１の鋏の指環部から飛び出している指の長さを短く出来るからである。
【００１７】
又、上記の複合鋏において、前記第２の鋏の刃部における刃の方向が前記第１の鋏の刃部における刃の方向と反対方向であるように構成されていることが好ましい。
【００１８】
又、上記の複合鋏において、前記第１の鋏の一方の鋏半体の指環部と前記第２の鋏の一方の鋏半体の指環部とが緩やかに繋がれてなると共に、前記第１の鋏の他方の鋏半体の指環部と前記第２の鋏の他方の鋏半体の指環部とが緩やかに繋がれていることが好ましい。
【００１９】
又、上記の複合鋏において、前記第１の鋏と前記第２の鋏とは、平面視における形状がほぼ同じに構成されていることが好ましい。その理由は、作業性に優れているからである。
【発明の効果】
【００２０】
例えば、頭の右側に在る髪の毛を左手の指で挟んだ状態において、右手に持った第１の鋏により、中央側から右側に向かって髪の毛をカットしようとした場合、その作業が容易である。すなわち、無理な姿勢でのカットにならず、手首などに掛かる負担は小さい。そして、カットに際しては、指環部に差し込まれた指（右手の指）の先が刃部の回動開閉面より向こう側に大きく飛び出して無い。つまり、カットに際して、指環部に差し込まれた指（右手の指）の先が髪の毛を挟んでいる左手の掌に大きく衝突することが無い。その結果、左手の掌に沿って第１の鋏の刃部を動かして行くことが出来る。従って、カット作業が無理なく行える。しかも、中央側から右側に向かってカットして行くことが出来る。
【００２１】
他方、従来と同様な鋏を用いることで、頭の左側に在る髪の毛を、中央側から左側に向かってカットすることが出来る。尚、このことは言うまでも無い。
【００２２】
従って、従来タイプの鋏（第２の鋏：刃部、柄部、及び指環部が一つの平面上に在るタイプの鋏）と、第１の鋏（刃部の回動開閉面に対して交差する方向に前記柄部が曲げられてなる鋏）とを用いれば、頭の髪の毛を左右ほぼ対称にカットできる。従って、見栄えが良いヘアスタイルを提供できる。
【００２３】
さて、上記第１の鋏と上記第２の鋏とは、互いに、バラバラであっても良い。
【００２４】
しかしながら、カット作業中、常に、指環部に指が差し込まれている訳では無い。例えば、櫛を使って髪の毛を梳く場合、二つの指環部の中の一方の指環部に差し込まれていた親指は抜かれ、そして掌全体で鋏が握られるようになる。この時、第１の鋏の一方の指環部と第２の鋏の一方の指環部との間に何らの結び付きも無いと、各々の指環部に指を差し込むことは非常に厄介である。すなわち、第１の鋏の一方の指環部と第２の鋏の一方の指環部とに、例えばリングを通して関係付けておくと、第１の鋏の一方の指環部と第２の鋏の一方の指環部とに指を挿入する作業がスムーズに行える。
【００２５】
尚、第１の鋏の一方の指環部と第２の鋏の一方の指環部との関連付けをリジッドなものにしていると、鋏の動きが悪くなるから、これは緩やかなものでなければならない。
【００２６】
更には、第１の鋏の他方の指環部と第２の鋏の他方の指環部とに、例えばリングを通して関係付けておくと、これ、また、第１の鋏の他方の指環部と第２の鋏の他方の指環部とに指を挿入する作業をスムーズに行える。尚、カット作業中においては、第１の鋏の他方の指環部と第２の鋏の他方の指環部とに指を差し込んでいるケースが多いので、第１の鋏の他方の指環部と第２の鋏の他方の指環部とは関係付けが無くても良い。すなわち、一方の指環部をリングで結び付けるだけでも良い。
【発明を実施するための最良の形態】
【００２７】
図１〜図８は、本発明になる鋏の一実施形態を示すものである。図１は、第１の鋏の平面図（表面図）である。図２は、第１の鋏の側面図である。図３は、第２の鋏の表側からの斜視図である。図４は、第１の鋏の一方の鋏半体の指環部と第２の鋏の一方の鋏半体の指環部とがリングで結ばれ、かつ、第１の鋏の他方の鋏半体の指環部と第２の鋏の他方の鋏半体の指環部とがリングで結ばれている状態の平面図である。図５〜図８は、使用状態の説明図である。
【００２８】
各図中、Ａは、第１の鋏である。この鋏Ａは、鋏半体１と鋏半体２とが螺子３により連結されたものである。そして、鋏Ａは、螺子３を回動軸として、図１中、矢印で示す如く、回動開閉する。
【００２９】
鋏半体１は、刃部１ａと、柄部１ｂと、指環部（直径：約２０ｍｍ）１ｃとを有する。鋏半体２は、刃部２ａと、柄部２ｂと、指環部（直径：約２０ｍｍ）２ｃとを有する。尚、鋏半体１と鋏半体２とは、螺子３の挿入孔、及び柄部１ｂ，２ｂの曲げ方向が異なる点を除けば、同一である。すなわち、組立状態における鋏Ａにおいて、鋏半体１と鋏半体２とは対称である。
【００３０】
本発明における第１の鋏Ａの特徴は、柄部１ｂ，２ｂが曲がっていることである。特に、螺子３と指環部１ｃ，2ｃとの間の複数の箇所１ｄ，１ｅ，２ｄ，２ｅにおいて、柄部１ｂ，２ｂが曲がっている。柄部１ｂ，２ｂは、例えば親指を指環部１ｃに差し込み、かつ、中指を指環部２ｃに差し込んだ場合において、仮想面（刃部１ａと刃部２ａとが回動開閉する際に構成される面）Ｐａが掌から遠い側となるように曲げられている。柄部１ｂ，２ｂは、前記面（仮想面）Ｐａに対して、立ち上がった如くに曲げられている。すなわち、鋏Ａの表側を正面にして見た場合、指環部１ｃ，２ｃが手前側に位置するよう柄部１ｂ，２ｂが曲げられている。柄部１ｂ，２ｂの曲箇所は、各々の半体１，２において、２個所ある。すなわち、前記面（仮想面）Ｐａと仮想面（指環部１ｃ，２ｃの上面によって構成される面）Ｐｃとが略平行（但し、面Ｐａと面Ｐｃとは異なる。）であるように柄部１ｂ，２ｂが曲げられている。更には、指環部１ｃ，2ｃに指を差し込んだ場合、差し込まれた指の指先が面Ｐａに当たって邪魔になることが無いよう柄部１ｂ，２ｂが曲げられている。すなわち、面Ｐａと面Ｐｃとの間の距離をｘとし、差し込まれた指が指環部１ｃ，2ｃから飛び出している指長をｙとした場合、ｙ＞＞ｘとならないように柄部１ｂ，２ｂが曲げられている。尚、ｙがｘより多少大きくても、ｘとｙとが同程度であれば、それ程大きな問題にはならない。そして、ｘの値が小さ過ぎると、指環部１ｃ，2ｃに差し込んだ指の先が面Ｐａに当ってしまう。逆に、ｘの値が大き過ぎると、指先が面Ｐａに当たることは無いものの、刃部１ａ，２ａの動作性が低下する。尚、ｙの値は人によって相違するから、一義的に決まるものでは無い。しかしながら、経験則から、ｘは１０〜３０ｍｍ程度が好ましい。特に、１２ｍｍ以上である。そして、２５ｍｍ以下が好ましい。本実施形態では、特に、約１７ｍｍである。
【００３１】
尚、曲部１ｄ，１ｅ，２ｄ，２ｅを構成したのは、指環部１ｃ，2ｃに差し込まれた指の指先が面Ｐａに当たらないようにする為である。従って、この観点からしたならば、曲部は、軸３より刃部１ａ側に設けられても良い。しかしながら、そうすると、結果的に、刃部１ａ，２ａの長さが相対的に短くなる。かつ、刃部1ａ，2ａの動作性が低下する。従って、曲部１ｄ，１ｅ，２ｄ，２ｅは、軸３と指環部１ｃ，2ｃとの間に在ることが好ましい。
【００３２】
鋏Ａは、図１から判る通り、左利き用の鋏である。なぜならば、刃部１ａ，２ａの先端側を上側に向けた場合、手前側に在る鋏半体１の刃部１ａの刃が左側に在るからである。
【００３３】
Ｂは、第２の鋏である。この鋏Ｂは、鋏半体４と鋏半体５とが螺子６により連結されたものである。そして、鋏Ｂは、螺子６を回動軸として、図３中、矢印で示す如く、回動開閉する。
【００３４】
鋏半体４は、刃部４ａと、柄部４ｂと、指環部（直径：約２０ｍｍ）４ｃとを有する。鋏半体５は、刃部５ａと、柄部５ｂと、指環部（直径：約２０ｍｍ）５ｃとを有する。尚、鋏半体４と鋏半体５とは、螺子６の挿入孔が異なる点を除けば、同一である。すなわち、組立状態における鋏Ｂにおいて、鋏半体４と鋏半体５とは対称である。尚、鋏Ｂの半体４，５の柄部４ｂ，５ｂには曲部が構成されていない。すなわち、鋏Ａの形が三次元的であるのに対して、鋏Ｂの形は二次元的である。
【００３５】
鋏Ｂは、図３から判る通り、右利き用の鋏である。なぜならば、刃部４ａ，５ａの先端側を上側に向けた場合、手前側に在る鋏半体４の刃部４ａの刃が右側に在るからである。
【００３６】
尚、鋏Ａの平面図の形状と鋏Ｂの平面図の形状とがほぼ同じであるように鋏Ａと鋏Ｂとは構成されている。すなわち、（刃部１ａ，２ａの長さ）≒（刃部４ａ，５ａの長さ）である。又、（面Ｐａに投影した柄部１ｂ，２ｂの長さ）≒（柄部４ｂ，５ｂの長さ）である。
【００３７】
７，８は、金属製のリング（直径：約１０ｍｍ）である。リング７は指環部１ｃと指環部４ｃとに通されている。リング８は指環部２ｃと指環部５ｃとに通されている。従って、指環部１ｃと指環部４ｃとは、リング７によって、互いの位置が規制される。又、指環部２ｃと指環部５ｃとは、リング８によって、互いの位置が規制される。すなわち、指環部１ｃ，４ｃから抜いていた親指を、再度、差し込むに際して、その動作が簡単になる。又、指環部２ｃ，５ｃに中指を差し込む場合、その動作が簡単になる。尚、リング７，８は、紐で出来ていても良い。
【００３８】
鋏Ａと鋏Ｂとの組み合わせ形態は、図４からも明瞭である。すなわち、鋏Ａと鋏Ｂとは、鋏Ａの表側と鋏Ｂの表側とが同一の側に在る。鋏Ａと鋏Ｂとは、鋏Ａの指環部１ｃ，２ｃと鋏Ｂの指環部４ｃ，５ｃとに指を差し込んで手にした場合、鋏Ａの指環部１ｃ，２ｃが指先側に位置するよう配されている。すなわち、鋏Ａの指環部１ｃ，２ｃの上に鋏Ｂの指環部４ｃ，５ｃが載っている如くに配されている。つまり、鋏Ｂにおける指環部４ｃ，５ｃの裏側（図３，４で見えている面は表側である。）の面と、鋏Ａにおける指環部１ｃ，２ｃの表側の面とが接する如くに配されている。鋏Ｂの刃部における刃の方向と鋏Ａの刃部における刃の方向とは反対方向にある。
【００３９】
さて、上記構成の鋏を用いると、図５〜図８に示される如きの態様でカットが行える。
すなわち、右手に持った鋏Ａを用いると、髪の毛を左手の指で挟んだ状態において、頭の右側に在る髪の毛を、中央側から右側に向かって（反時計方向に）カットして行くことが出来る。そして、その作業性は良好である。これは、カットに際して、指環部１ｃ，４ｃ，２ｃ，５ｃに差し込まれた指（右手の指）の先が刃部の回動開閉面Ｐａより向こう側（図５中、上側）に大きく飛び出して無いからである。つまり、カットに際して、指環部１ｃ，４ｃ，２ｃ，５ｃに差し込まれた指（右手の指）の先は、髪の毛を挟んでいる左手に殆ど衝突しない。その結果、左手の掌に沿って鋏Ａの刃部１ａ，２ａをスムーズに動かして行くことが出来る。従って、カット作業が無理なく行える。しかも、中央側から右側に向かってカットして行くことが出来る。
【００４０】
そして、右手に持った鋏Ｂを用いると、従来と同様、髪の毛を左手の指で挟んだ状態において、頭の左側に在る髪の毛を、中央側から左側に向かって（時計方向に）カットして行くことが出来る。そして、その作業性は良好である。
【００４１】
そして、右半分の位置に在る髪の毛を鋏Ａにより、かつ、左半分の位置に在る髪の毛を鋏Ｂによりカットしたならば、全体のカット具合は恰も左右対称の如くになる。そして、バランス良く、見栄えの良いヘアスタイルが得られる。
【図面の簡単な説明】
【００４２】
【図１】本発明になる鋏Ａの平面図（表面図）
【図２】本発明になる鋏Ａの側面図
【図３】鋏Ｂの斜視図
【図４】鋏Ａと鋏Ｂとが組み合わされた状態における平面図
【図５】本発明になる鋏の使用状態図
【図６】本発明になる鋏の使用状態図
【図７】本発明になる鋏の使用状態図
【図８】本発明になる鋏の使用状態図
【図９】従来の鋏の斜視図
【符号の説明】
【００４３】
Ａ                      第１の鋏
１，２                  鋏半体
１ａ，２ａ              刃部
１ｂ，２ｂ              柄部
１ｃ，２ｃ              指環部
１ｄ，１ｅ，２ｄ，２ｅ  曲部
３                      螺子
Ｂ                      第２の鋏
４，５                  鋏半体
４ａ，５ａ              刃部
４ｂ，５ｂ              柄部
４ｃ，５ｃ              指環部
６                      螺子
７，８                  リング
代  理  人  宇  高  克  己
【図１】
2006346328.tif 000003
【図２】
2006346328.tif 000004
【図３】
2006346328.tif 000005
【図４】
2006346328.tif 000006
【図５】
2006346328.tif 000007
【図６】
2006346328.tif 000008
【図７】
2006346328.tif 000009
【図８】
2006346328.tif 000010
【図９】
2006346328.tif 000011